(57)【要約】【課題】  窓シャッターの枠体部分の建物躯体側への取付時に、建物躯体側の構造や、サッシ枠の突出長さ、外壁の構造等が異なっていても、屋外側への延出寸法を施工現場にて調整可能とするとともに、その取付施工を容易に行うことを可能とする。【解決手段】  建物開口部５２の周囲における建物躯体５１側に固定される下地枠２と、下地枠２に対して重ね合せて固定され窓シャッター６１の構成部材が配置固定される取付面を構成する取付枠７とを具備し、下地枠２と取付枠７とは互いに嵌合しあう凹凸形状とされ、下地枠２に設けられるねじジャッキ構造の調整機構１１にて、取付枠７と下地枠２との嵌合された状態での高さを調整自在とする。【選択図】        図１
2006241736.tif 000002
【特許請求の範囲】
【請求項１】
建物開口部の周囲に位置して前記開口部に対して延設される窓シャッターの取付枠体構造であって、
前記建物開口部の周囲における建物躯体側に固定され、前記建物開口部を囲繞し、前記建物躯体側に対して所定の高さを有する下地枠と、
前記下地枠に対して重ね合せて固定され、該下地枠に対して嵩上げを行い、前記建物躯体側に対して所定の高さとなって、前記窓シャッターの構成部材が配置固定される取付面を構成する取付枠と、
を具備することを特徴とする窓シャッターの取付枠体構造。
【請求項２】
前記下地枠と、前記取付枠とは、互いに嵌合しあう凹凸形状とされるとともに、嵌合された状態での高さを調整自在とする調整機構を備えることを特徴とする請求項１記載の窓シャッターの取付枠体構造。
【請求項３】
前記調整機構は、前記下地枠と前記取付枠との重合方向に直交し、建物躯体面と平行となる互いに平行な複数の突条で構成され、前記下地枠に構成される突条と前記取付枠に構成される突条との互いの嵌め合せを組み合せることで、前記下地枠に対する前記取付枠の取付高さを調整することを特徴とする請求項２記載の窓シャッターの取付枠体構造。
【請求項４】
前記調整機構は、前記下地枠に設けられるねじジャッキ構造の支持体よりなり、該支持体の先端を前記取付枠に当接し、該取付枠と前記下地枠とを固定することを特徴とする請求項２記載の窓シャッターの取付枠体構造。
【請求項５】
建物開口部の周囲に位置して前記開口部に対して延設される窓シャッターの取付枠体構造であって、
前記建物開口部の周囲における建物躯体側に固定され、前記建物開口部を囲繞し、前記建物躯体側に対して所定の高さとなる厚みを有する所定長さの枠状部材とされ、該枠状部材の表裏面には、該枠状部材を厚み方向に重ねた際に互いに嵌合しあう凸部およびまたは凹部が長さ方向に連続して形成され、該枠状部材を介して、前記建物開口部の周囲に前記窓シャッターの構成部材が配置固定されることを特徴とする窓シャッターの取付枠体構造。
【発明の詳細な説明】
【技術分野】
【０００１】
本発明は、住宅などの建築構造体の窓部分などの建物開口部に設けられる窓シャッターにおいて、この窓シャッターを構成する各構成部材を、建物躯体側に配設するための窓シャッターの取付枠体構造に関するものである。
【背景技術】
【０００２】
住宅などの建築構造体の窓部分などの建物開口部には、サッシ窓が設けられるとともに、このサッシ窓の屋外側に位置して窓シャッターが配設される構成がある。サッシ窓を構成する上下左右の各枠は、建物開口部に嵌め込まれるように建物躯体側に固定される。また、窓シャッターは、このサッシ枠の周囲に位置して、サッシ枠を囲むように配置され、屋外側に延出した構造となって設けられる。
【０００３】
従来では、下記特許文献１に示すような、予め建物躯体側に固定されるサッシ枠の周囲に、このサッシ枠よりも屋外側に延出するような枠構造を備えたガイド縦枠，下枠，連結枠を建物躯体側に固定して、これらを窓シャッターの枠構造とし、ガイドレール，シャッター収納部を配置して構成するものがあった。
また、下記特許文献２，３に示すような、サッシ枠と、窓シャッターを構成するガイドレール等の枠体部分とを一体構造とし、建物躯体側に対して１度の施工で組み付けるものもあった。
【特許文献１】特開平９−６０４５６号公報
【特許文献２】特開平１０−１４８０６０号公報
【特許文献３】特開２００１−１４６８８４号公報
【発明の開示】
【発明が解決しようとする課題】
【０００４】
しかしながら、上述した従来の窓シャッターの取付構造では、特許文献１では、サッシ枠の建物躯体からの延出寸法や、建物躯体に設けられる外壁との取り合い、外壁の厚さなどによって、建物躯体からの延出長さ、すなわち、実際にシャッターカーテンが通るガイドレール部分の位置が適切な位置に配置されない欠点を有し、すなわち、建物躯体側からの延出長さが固定であり、サッシ枠や外壁との納まりに合う窓シャッターの枠体が施工現場毎に必要となって建物躯体の構成やサッシ枠の構成などにより、突出長さの異なる枠状部材が必要となり、汎用性が低い欠点を有している。
【０００５】
また、特許文献２，３の窓シャッターの枠構造では、サッシ枠と一体構造であることから、建物躯体に対して、容易に取付施工が行える利点を有するが、例えばサッシ枠が既に設けられている建物開口部に対して後付け加工にて窓シャッターを組み込むには、サッシ枠を取り外した後に組み込むこととなり、汎用性を有していない欠点を有している。さらに、一体構造であることから、窓シャッター側或いはサッシ側に故障などが起きて、建物から取り外すような場合になった際には、双方同時に交換となってしまう。
【０００６】
そこで本発明は、上記問題点を解消するために、窓シャッターの枠体部分の建物躯体側への取付時に、建物躯体側の構造や、サッシ枠の突出長さ、外壁の構造等が異なっていても、屋外側への延出寸法を施工現場にて調整可能とするとともに、その取付施工を容易に行うことを可能とする窓シャッターの取付枠体構造を提供することを目的としている。
【課題を解決するための手段】
【０００７】
次に、上記の課題を解決するための手段を、実施の形態に対応する図面を参照して説明する。
この発明の請求項１記載の窓シャッターの取付枠体構造は、建物開口部の周囲に位置して前記開口部に対して延設される窓シャッターの取付枠体構造であって、
前記建物開口部５２の周囲における建物躯体５１側に固定され、前記建物開口部５２を囲繞し、前記建物躯体５１側に対して所定の高さを有する下地枠２（２２）と、
前記下地枠２（２２）に対して重ね合せて固定され、該下地枠２（２２）に対して嵩上げを行い、前記建物躯体５１側に対して所定の高さとなって、前記窓シャッター６１の構成部材が配置固定される取付面を構成する取付枠７（２７）と、
を具備することを特徴とする。
【０００８】
この窓シャッターの取付枠体構造では、下地枠２（２２）と取付枠７（２７）とで構成し、すなわち、分割構造としたので、下地枠２（２２）に対して取付枠７（２７）を重ね合わせて固定する構造となり、下地枠２（２２）の高さに取付枠７（２７）の高さを加えた高さ、すなわち取付枠体構造１（２１）としての厚さが嵩上げされることとなり、この厚さを所定の長さに設定することで、建物躯体５１に配置固定された状態で、建物外壁からの延出長さとされる。これにより、建物躯体５１に対する窓シャッター６１の取付位置が最適なものとなり、すなわち、サッシ枠５３や外壁などの既設となる部位に対して、窓シャッター６１を設ける際に、外壁面５１ａからの延出長さを最適なものとすることが可能となる。
【０００９】
請求項２記載の窓シャッターの取付枠体構造では、請求項１記載の窓シャッターの取付枠体構造において、前記下地枠２（２２）と、前記取付枠７（２７）とは、互いに嵌合しあう凹凸形状とされるとともに、嵌合された状態での高さを調整自在とする調整機構１１（３１）を備えることを特徴とする。
【００１０】
この窓シャッターの取付枠体構造では、下地枠２（２２）と取付枠７（２７）とで分割構造とするとともに、これら下地枠２（２２）と取付枠７（２７）とに調整機構１１（３１）を設けたので、下地枠２（２２）と取付枠７（２７）との間隔距離を調整可能となり、すなわち枠体構造として、その厚みが調整可能となる。これにより、この取付枠体構造１（２１）を建物躯体５１側に配置固定することで、建物外壁からの延出長さを調整可能となり、建物躯体５１に対する窓シャッター６１の取付位置が最適なものとなる。すなわち、サッシ枠５３や外壁などの既設となる部位に対して、窓シャッター６１を設ける際に、外壁面５１ａからの延出長さを略最適なものとすることが可能となる。
【００１１】
請求項３記載の窓シャッターの取付枠体構造では、請求項２記載の窓シャッターの取付枠体構造において、前記調整機構３１は、前記下地枠２２と前記取付枠２７との重合方向に直交し、建物躯体面と平行となる互いに平行な複数の突条３２，３３で構成され、前記下地枠２２に構成される突条３２と前記取付枠２７に構成される突条３３との互いの嵌め合せを組み合せることで、前記下地枠２２に対する前記取付枠２７の取付高さを調整することを特徴とする。
【００１２】
この窓シャッターの取付枠体構造では、調整機構３１を、互いが嵌め合う複数の突条３２，３３で構成したことで、その嵌め合い位置で容易に延出長さを調整でき、窓シャッター６１を取り付ける現場に応じて所望の延出長さを得ることが簡単な作業で行える。
【００１３】
請求項４記載の窓シャッターの取付枠体構造では、請求項２記載の窓シャッターの取付枠体構造において、前記調整機構１１は、前記下地枠２に設けられるねじジャッキ構造の支持体よりなり、該支持体の先端を前記取付枠７に当接し、該取付枠７と前記下地枠２とを固定することを特徴とする。
【００１４】
この窓シャッターの取付枠体構造では、調整機構１１をねじジャッキ構造の支持体としたことで、容易に延出長さを調整でき、窓シャッター６１を取り付ける現場に応じて所望の延出長さを得ることが簡単な作業で行える。
【００１５】
請求項５記載の窓シャッターの取付枠体構造では、建物開口部の周囲に位置して前記開口部に対して延設される窓シャッターの取付枠体構造であって、
前記建物開口部５２の周囲における建物躯体５１側に固定され、前記建物開口部５２を囲繞し、前記建物躯体５１側に対して所定の高さとなる厚みを有する所定長さの枠状部材４２とされ、該枠状部材４２の表裏面には、該枠状部材４２を厚み方向に重ねた際に互いに嵌合しあう凸部およびまたは凹部が長さ方向に連続して形成され、該枠状部材４２を介して、前記建物開口部５２の周囲に前記窓シャッター６１の構成部材が配置固定されることを特徴とする。
【００１６】
この窓シャッターの取付枠体構造では、枠状部材４２にて、その厚さを建物躯体５１からの延出長さとして構成でき、また、この枠状部材４２を複数で構成することで、その枠状部材４２の厚さ毎で、取付枠体構造４１としての厚さ、すなわち延出長さを設定することができることとなる。これにより、この取付枠体構造４１を建物躯体５１側に配置固定することで、建物外壁からの延出長さを枠状部材４２の厚さ毎で調整可能となり、建物躯体５１に対する窓シャッター６１の取付位置がより最適なものとなる。すなわち、サッシ枠５３や外壁などの既設となる部位に対して、窓シャッター６１を設ける際に、外壁面５１ａからの延出長さを略最適なものとすることが可能となる。そして、この枠状部材４２の数にて、容易に延出長さを調整でき、窓シャッター６１を取り付ける現場に応じて所望の延出長さを得ることが、重ね合わせるのみという簡単な作業で行える。
【発明の効果】
【００１７】
以上説明したように本発明に係る請求項１記載の窓シャッターの取付枠体構造によれば、下地枠と取付枠とで構成し、すなわち、分割構造としたので、下地枠に対して取付枠を重ね合わせて固定する構造となり、下地枠の高さに取付枠の高さを加えた高さ、すなわち取付枠体構造としての厚さが嵩上げされることとなり、この厚さを所定の長さに設定することで、建物躯体に配置固定された状態で、建物外壁からの延出長さとされる。
これにより、建物躯体に対する窓シャッターの取付位置が最適なものとなり、すなわち、サッシ枠や外壁などの既設となる部位に対して、窓シャッターを設ける際に、外壁面からの延出長さを最適なものとすることが可能となる。
このことから、施工現場毎に、窓シャッターを配置固定するための専用の枠部材等が必要なく、その現場にて調整を行って、最適な配置固定を行うことが可能となる。
【００１８】
請求項２記載の窓シャッターの取付枠体構造によれば、下地枠と取付枠とで分割構造とするとともに、これら下地枠と取付枠とに調整機構を設けたので、下地枠と取付枠との間隔距離を調整可能となり、すなわち枠体構造として、その厚みが調整可能となる。これにより、この取付枠体構造を建物躯体側に配置固定することで、建物外壁からの延出長さを調整可能となり、建物躯体に対する窓シャッターの取付位置が最適なものとなる。すなわち、サッシ枠や外壁などの既設となる部位に対して、窓シャッターを設ける際に、外壁面からの延出長さを略最適なものとすることが可能となる。
【００１９】
請求項３記載の窓シャッターの取付枠体構造によれば、調整機構を、互いが嵌め合う複数の突条で構成したことで、その嵌め合い位置で容易に延出長さを調整でき、窓シャッターを取り付ける現場に応じて所望の延出長さを得ることが簡単な作業で行える。
【００２０】
請求項４記載の窓シャッターの取付枠体構造によれば、調整機構をねじジャッキ構造の支持体としたことで、容易に延出長さを調整でき、窓シャッターを取り付ける現場に応じて所望の延出長さを得ることが簡単な作業で行うことが可能となる。
【００２１】
請求項５記載の窓シャッターの取付枠体構造によれば、枠状部材にて、その厚さを建物躯体からの延出長さとして構成でき、また、この枠状部材を複数で構成することで、その枠状部材の厚さ毎で、取付枠体構造としての厚さ、すなわち延出長さを設定することができることとなる。これにより、この取付枠体構造を建物躯体側に配置固定することで、建物外壁からの延出長さを枠状部材の厚さ毎で調整可能となり、建物躯体に対する窓シャッターの取付位置がより最適なものとなる。
すなわち、サッシ枠や外壁などの既設となる部位に対して、窓シャッターを設ける際に、外壁面からの延出長さを略最適なものとすることが可能となる。そして、この枠状部材の数にて、容易に延出長さを調整でき、窓シャッターを取り付ける現場に応じて所望の延出長さを得ることが、重ね合わせるのみという簡単な作業で行うことができる。
【発明を実施するための最良の形態】
【００２２】
以下、本発明の窓シャッターの取付枠体構造について、各実施の形態毎に説明する。
【００２３】
第１の実施の形態
図１は本発明による窓シャッターの取付枠体構造の実施の形態を示す側断面図、図２は同平断面図、図３は同概略分解斜視図、図４は一部拡大斜視図である。
なお、本発明の取付枠体構造は、垂直部分と横架部分とで構成され、図３に示すように、口字状或いは日字状に配置構成されて、建物躯体側に固定される。これら垂直部分と横架部分とは、互いに連結されることとしてもよい。以下の説明では、これら垂直部分と横架部分とが共通の構成であることから、一方の垂直部分の取付枠体構造の構成にて説明する。
【００２４】
本実施の形態の取付枠体構造１は、下地枠２と取付枠７と調整機構１１とで大略構成されている。
下地枠２は、略平滑な設置面部３と、この設置面部３に直交して延出する一対の支持面部４，５とを備えた断面略コ字状に形成されている長尺体よりなる。下地枠２は設置面部３が、建物躯体５１に固定され、両支持面部４，５が屋外側に互いに平行となって突出するようになる。本実施の形態では、図６に示すように、設置面部３と一方の支持面部４との接合角部分の外側に凹溝部６が形成されている。
【００２５】
取付枠７は、略平滑な取付面部８と、この取付面部８に直交して延出する一対の固定面部９，１０とを備えた断面略コ字状に形成されている長尺体よりなる。この取付枠７は、上記下地枠２と同等の長さに設定される。取付枠７の各固定面部９，１０の間隔幅は、その内幅長が、下地枠２の各支持面部４，５の外幅長と略同等とされ、すなわち、図６に示すように、下地枠２に対して取付枠７が外方位置で互いに嵌め合うように凹凸状に構成されている。
【００２６】
調整機構１１は、本実施の形態では、図５に示すように、ねじジャッキ構造の支持体よりなり、ベース部１２と、支持部１５とで構成される。ベース部１２は、調整機構１１の基端側を構成し、筒状に形成される雌ネジ部１３を有し、この雌ネジ部１３の基端に固定板１４を備えている。支持部１５は、調整機構１１の先端側を構成し、ベース部１２の雌ネジ部１３に螺合する雄ネジ部１６を有し、雄ネジ部１６の先端には支持板１７が設けられている。調整機構１１は、ベース部１２の固定版１４が、下地枠２内に配置固定され、図４に示すように、下地枠２の各支持面部４，５の延出方向と同方向に延出するようになる。調整機構１１の先端となる支持部１５の支持板１７は、下地枠２の設置面部３と略平行とされる。
【００２７】
この調整機構１１によれば、ベース部１２に対して支持部１５を回転させることで、この支持部１５が軸線方向に進退でき、下地枠２に対する支持板１７の突出長さを可変させることが可能となる。
なお、この調整機構１１は、図４に示すように、下地枠２の長手方向に複数設けられており、それぞれの突出長さを揃えることで、この下地枠２に取り付けられる取付枠７の取付面部８が、下地枠２の設置面部３と略平行となる。また、好ましくは、固定板１４は下地枠２の設置面部３とともに建物躯体５１側にビスなどの固定手段１９にて固定される。
【００２８】
このように構成される取付枠体構造１では、下地枠２を建物躯体５１側にビスなどの固定手段にて固定した後、この下地枠２の内部に位置させ設置面部３上に調整機構１１である支持体の固定板１４を固定する。調整機構１１は、下地枠２の長手方向に、所定間隔毎に複数配置固定される。なお、調整機構１１の配置位置としては、例えば３００ｍｍ毎とされる。
【００２９】
次に、各調整機構１１の支持部１５の雄ネジ部１６を回転させ、ベース部１２に対する突出長さを調整する。すなわちベース部１２に対して支持部１５を回転させることで支持部１５を軸線方向に突出させる。
次に、下地枠２に被せるように、取付枠７を下地枠２に沿わせて取り付ける。取付枠７は、取付面部８の内面を調整機構１１の支持板１７に当接させる。取付枠７の各固定面部９，１０は、下地枠２の各支持面部４，５の外側に位置する。
【００３０】
下地枠２に対して取付枠７が配置された後、取付枠７の固定面部９，１０外側からビスや、タッピングビスなどの固定手段にて、取付枠７と下地枠２とが固定される。このビスなどの固定手段は、取付枠７の長手方向に沿って複数箇所、所定間隔ごととされる。
これにより、建物躯体５１の外面に対して、取付枠体構造１の取付面部８が、所定の延出位置の屋外側に位置することとなり、すなわち、取付枠体構造１としての厚みが嵩上げされることとなる。
【００３１】
そして、上述した取付枠体構造１は、図３に示すように、左右一対となる垂直部分と、下縁部、上縁部、及び上部横架部の５つで矩形状に構成されて、建物躯体５１に固定される。各取付枠体構造１は、図１，２に示すように、建物躯体５１側の建物開口部５２に予め設置固定されているサッシ枠５３の周囲を囲むように位置し、建物外壁面５１ａからの延出長さを調整可能となる。
なお、各取付枠体構造１における下地枠２の凹溝部６は、図１，２，６に示すように、建物躯体５１に固定された状態で、外周位置とされ、この凹溝部６は外壁面５１ａとで矩形溝となり、各凹溝部６には、シーリング剤５５が充填され、建物外壁面５１ａと下地枠２との防水性が得られるようになっている。
【００３２】
その後、各取付枠体構造１の取付枠７の取付面部８には、窓シャッター６１を構成する各構成部材、例えばガイドレール６２や水切枠６３、シャッター収納部６４などが固定されることとなる。なお、これら各部６２，６３，６４の固定時には、調整機構１１の位置を避けた位置でビスなどの固定部材が貫通される。
【００３３】
従ってこのように構成された窓シャッターの取付枠体構造では、下地枠２と取付枠７とで分割構造とするとともに、これら下地枠２と取付枠７との間に調整機構１１を設けたので、下地枠２の設置面部３と取付枠７の取付面部８との間隔距離を調整可能となり、すなわち枠体構造として、その厚みが調整可能となる。これにより、この取付枠体構造１を建物躯体５１側に配置固定することで、建物外壁からの延出長さを調整可能となり、建物躯体５１に対する窓シャッター６１の取付位置が最適なものとなる。すなわち、サッシ枠５３や外壁などの既設となる部位に対して、窓シャッター６１を設ける際に、外壁面５１ａからの延出長さを最適なものとすることが可能となる。特に調整機構１１をねじジャッキ構造の支持体としたことで、容易に延出長さを調整でき、窓シャッター６１を取り付ける現場に応じて所望の延出長さを得ることが簡単な作業で行える。
【００３４】
なお、上述した実施の形態では、調整機構１１のベース部１２を下地枠２の設置面部３側に固定配置し、下地枠２側から支持部１５の支持板１７が進退する構成とした例を示したが、この調整機構１１は、ベース部１２の固定板１４を取付枠７側に固定配置する構成としてもよく、すなわち、取付枠７側から、支持板１７が進退する構成として、この支持板１７に下地枠２の設置面部３内面を当接させることとしてもよい。
【００３５】
第２の実施の形態
図７は本発明による窓シャッターの取付枠体構造の第２の実施の形態を示す平断面図である。
なお、この第２の実施の形態においては、上述した第１の実施の形態と同等の箇所には同等の符号を付して説明する。
【００３６】
本実施の形態の取付枠体構造２１は、下地枠２２と取付枠２７と調整機構とで大略構成されている。
下地枠２２は、略平滑な設置面部２３と、この設置面部２３に直交して延出する一対の支持面部２４，２５とを備えた断面略コ字状に形成されている長尺体よりなる。下地枠２２は設置面部２３が、建物躯体５１に固定され、両支持面部２４，２５が屋外側に互いに平行となって突出するようになる。本実施の形態では、図７に示すように、設置面部２３と一方の支持面部２４との接合角部分の外側に凹溝部２６が形成されている。
【００３７】
取付枠２７は、略平滑な取付面部２８と、この取付面部２８に直交して延出する一対の固定面部２９，３０とを備えた断面略コ字状に形成されている長尺体よりなる。この取付枠２７は、上記下地枠２２と同等の長さに設定される。取付枠２７の各固定面部２９，３０の間隔幅は、その内幅長が、下地枠２２の各支持面部２４，２５の外幅長と略同等とされ、すなわち、図７に示すように、下地枠２２に対して取付枠２７が外方位置で互いに嵌め合うように凹凸状に構成されている。
【００３８】
調整機構３１は、この実施の形態では、上記下地枠２２と取付枠２７とに形成される構成となっている。この調整機構３１は、下地枠２２と取付枠２７との重合方向に直交するそれぞれの長手方向とされ、建物躯体面５１ａと平行となる互いに平行な複数の突条３２，３３で構成される。各突条３２，３３は各幅長が略同一となるよう形成されるとともに、それぞれの突出長も略同一に形成され、幅長と同幅の間隔で配置構成される。本実施の形態では、下地枠２２の他方の支持面部２５外側と、取付枠２７の他方の固定面部３０内側とに形成されており、下地枠２２に取付枠２７を取り付けた状態で互いに対向し嵌合しあうようになっている。なお、これら突条３２，３３の幅長とその間隔幅とは、互いに略等しく形成されることが好ましい。
【００３９】
この調整機構３１によれば、下地枠２２と取付枠２７との各突条３２，３３の嵌合位置が長手方向に直交する方向で多段となる構成とされ、これにより、突条３２，３３の幅長の２倍のピッチで嵌合位置を調整可能となる。例えば、各幅長を５ｍｍとして形成すれば、この２倍の１０ｍｍピッチで下地枠２２の設置面部２３と取付枠２７の取付面部２８との間隔距離を調整可能となり、すなわち枠体構造２１として、その厚みが調整可能となる。
【００４０】
このように構成される取付枠体構造２１では、まず、下地枠２２を建物躯体５１側にビスなどの固定手段（図示せず）にて固定する。
【００４１】
次に、この下地枠２２に取付枠２７を被せるように、下地枠２２に沿わせて取り付ける。このとき下地枠２２の他方の支持面部２５と取付枠２７の他方の固定面部３０とを、互いの対向面に形成される複数の突条３２，３３同士を嵌合させる。この突条３２，３３同士の嵌合の際、互いに複数ある突条３２，３３の嵌合数をピッチ毎に変えることで設置面部２３と取付面部２８との間隔距離を所望の長さとすることが可能となる。
【００４２】
また、下地枠２２の一方の支持面部２４には、取付枠２７の一方の固定面部２９が外側に位置して取り付けられる。
【００４３】
下地枠２２に対して所望の位置にて取付枠２７が配置された後、取付枠２７の一方の固定面部２９外側からビスや、タッピングビスなどの固定手段にて、取付枠２７と下地枠２２とが固定される。このビスなどの固定手段は、取付枠２７の長手方向に沿って複数箇所、所定間隔ごととされる。
これにより、建物躯体５１の外面に対して、取付枠体構造２１の取付面部２８が、所定の延出位置の屋外側に位置することとなる。
【００４４】
そして、上述した取付枠体構造２１は、左右一対となる垂直部分と、下縁部、上縁部、及び上部横架部の５つで略矩形状に構成されて、建物躯体に固定される（図３参照）。各取付枠体構造２１は、建物躯体５１側の建物開口部５２に予め設置固定されているサッシ枠５３の周囲を囲むように位置し、建物外壁面５１ａからの延出長さを調整可能となる。
なお、各取付枠体構造２１における下地枠２２の凹溝部２６は、図７に示すように、建物躯体５１に固定された状態で、外周位置とされ、この凹溝部２６は外壁面５１ａとで矩形溝となり、各凹溝部２６には、シーリング剤５５が充填され、建物外壁面５１ａと下地枠２２との防水性が得られるようになっている。
【００４５】
その後、各取付枠体構造２１の取付枠２７の取付面部２８には、窓シャッター６１を構成する各構成部材、例えばガイドレール６２や水切枠６３、シャッター収納部６４などが固定されることとなる。
【００４６】
従ってこのように構成された窓シャッターの取付枠体構造では、下地枠２２と取付枠２７とで分割構造とするとともに、これら下地枠２２と取付枠２７とに調整機構３１を設けたので、下地枠２２の設置面部２３と取付枠２７の取付面部２８との間隔距離を調整可能となり、すなわち枠体構造として、その厚みが調整可能となる。これにより、この取付枠体構造２１を建物躯体５１側に配置固定することで、建物外壁からの延出長さを調整可能となり、建物躯体５１に対する窓シャッター６１の取付位置が最適なものとなる。すなわち、サッシ枠５３や外壁などの既設となる部位に対して、窓シャッター６１を設ける際に、外壁面５１ａからの延出長さを略最適なものとすることが可能となる。特に調整機構３１を、互いが嵌め合う複数の突条３２，３３で構成したことで、その嵌め合い位置で容易に延出長さを調整でき、窓シャッター６１を取り付ける現場に応じて所望の延出長さを得ることが簡単な作業で行える。
【００４７】
なお、上述した実施の形態では、調整機構３１として、下地枠２２の他方の支持面部２５外側と取付枠２７の他方の固定面部３０内側とに形成され、互いに対向し嵌合しあうよう複数の突条３２，３３とを構成した例について述べたが、支持面部２５と固定面部３０のいずれか一方の突条３２，３３を、複数ではなく、図８に示すように、１つで構成することとしてもよい。この場合、外向きに突出する側となる支持面部２５側の突条３２を１つで構成し、かつ、この支持面部２５の先端縁にのみ設けられる構成とすれば、下地枠２２と取付枠２７とを組み付けた状態で、突条及び溝状部分が表出することなく組み合わせることが可能となり、外観の見栄えが良くなる。
【００４８】
さらに、一方の突条を、長手方向に連続した条状に形成するのではなく、図９（ａ）に示すように、ピン状の凸部３４として断続的に形成することとしてもよい。このような構成とすれば、上記同様に、突条３３（３２）との嵌め合い位置で容易に延出長さを調整できる。また、このピン状の凸部３４による構成では、上端近傍と下端近傍の２カ所に配設される構成とすることで、図９（ｂ）に示すように、下地枠２２と取付枠２７とを、設置面部２３と取付面部２８とを平行面とせずに組み付けが可能となり、例えば、建物躯体側の取付面が長手方向で歪んでいる場合や、シャッター構成部材を斜めに組み付ける場合などに対応が可能となる。
【００４９】
第３の実施の形態
図１０は本発明による窓シャッターの取付枠体構造の第３の実施の形態を示す一部拡大平面図、図１１は同一部拡大側断面図、図１２は同一部拡大側断面図である。
なお、この第３の実施の形態においては、上述した第１，第２の実施の形態と同等の箇所には同等の符号を付して説明する。
【００５０】
本実施の形態の取付枠体構造４１は、所定断面形状が連続する所定長さの枠状部材４２よりなる。
枠状部材４２は、図１０に示すように、断面略コ字状に形成される長尺体よりなる。本実施の形態では、枠本体４３と支持体４９とで構成される。枠本体４３は、略中央に凹部４４を有するとともに、端縁にそれぞれ段部４５を備え、すなわち２つの凸部が形成される表面となる板面部４６と、両端縁に直交して裏面方向に延出し、先端縁に突条部４７を有する一対の側面部４８とで断面略コ字状に形成される。支持体４９は、一対で構成され、枠本体４３の板面部４６略中央部分における前記凹部４４の裏面となる位置となり、側面部４８と略平行となって延出して、枠本体４３と一体に構成される。各支持体４９の間隔幅は、枠本体４３の凹部４４の幅と略同等とされる。
【００５１】
そして、この枠状部材４２は、複数で構成されることで、重ね合わせて使用することが可能となる。すなわち、例えば、図１０に示すように、枠状部材４２を２つで構成し使用する場合には、互いを重ね合わせることで、所定の厚さを構成させることが可能となる。このとき、建物躯体５１側となる下側枠状部材４２と、窓シャッター６１の構成部材が取り付けられる上側枠状部材４２とは、下側枠状部材４２の凹部４４に上側枠状部材４２の一対の支持体４９，４９が凸部となって嵌合し、また下側枠状部材４２の各段部４５，４５に上側枠状部材４２の各側面部４８の先端縁が嵌合して、互いが重ね合わさることとなる。
【００５２】
このように構成される取付枠体構造４１では、例えば上記したように２つで構成して使用する場合には、まず、下側枠状部材４２と上側枠状部材４２とを、重ね合わせた状態で建物躯体５１側にビスやタッピングビスなどの固定手段５０を用い、両枠状部材４２，４２を貫通させて固定する。このとき、上下各枠状部材４２，４２は、上記したように、凹部４４と凸部（支持体４９）、段部４５と側面部４８先端縁とが互いに嵌合しており、幅方向のズレが生じることがない。なお、ビスなどの固定手段５０は、枠状部材４２の長手方向に沿って複数箇所、所定間隔ごととされる。
これにより、建物躯体５１の外面に対して、取付枠体構造４１の上側枠状部材４２の表面が、所定の延出位置の屋外側に位置して、窓シャッター６１の構成部材の取付面となる。
【００５３】
そして、上述した取付枠体構造４１は、左右一対となる垂直部分と、下縁部、上縁部、及び上部横架部の５つで構成されて、建物躯体５１に固定される（図３参照）。各取付枠体構造４１は、建物躯体５１側の建物開口部５２に予め設置固定されているサッシ枠５３の周囲を囲むように位置し、建物外壁面５１ａからの延出長さを調整可能となる。すなわち、この実施の形態では、枠状部材４２の厚さを１単位として、その構成数で厚さを所望の長さに設定可能となる。
【００５４】
その後、各取付枠体構造４１の取付面には、窓シャッター６１を構成する各構成部材、例えばガイドレール６２（図１０参照）や水切枠６３（図１２参照）、シャッター収納部６４，枠材６５（図１１参照）などが固定されることとなる。なお、図１１，１２には、枠状部材４２を重ねずに、１つで構成した場合の図として示している。
なお、これら構成部材４１の枠状部材４２表面と対する面に、図１０，１２に示すように凹凸面を形成することで、枠状部材４２との取付状態にズレなどを生じさせることなく、位置決めを行えて取り付けが行え、作業性等を向上させることができる。
また、各枠状部材４２同士の接合部分や外壁面５１ａとの隙間、窓シャッターの構成部材等との隙間部分には、シーリング剤を充填し、防水性を得られることとしてもよい。
【００５５】
従ってこのように構成された窓シャッターの取付枠体構造４１では、枠状部材４２にて、その厚さを建物躯体５１からの延出長さとして構成でき、また、この枠状部材４２を複数で構成することで、その枠状部材４２の厚さ毎で、取付枠体構造４１としての厚さ、すなわち延出長さを設定することができるものである。これにより、この取付枠体構造４１を建物躯体５１側に配置固定することで、建物外壁からの延出長さを枠状部材４２の厚さ毎で調整可能となり、建物躯体５１に対する窓シャッター６１の取付位置がより最適なものとなる。すなわち、サッシ枠５３や外壁などの既設となる部位に対して、窓シャッター６１を設ける際に、外壁面５１ａからの延出長さを略最適なものとすることが可能となる。特にこの実施の形態では、同形状の枠状部材４２の数にて、容易に延出長さを調整でき、窓シャッター６１を取り付ける現場に応じて所望の延出長さを得ることが、重ね合わせるのみという簡単な作業で行える。
【００５６】
なお、上述した実施の形態では、枠状部材４２の形状が、下面側の開口した断面略コ字状に形成される例として述べたが、図１３に示すように、略凸字状と略凹字状とを組み合わせた形状で中空矩形パイプ形状とされた断面形状とした枠状部材７２にて構成することとしてもよい。この例の枠状部材７２によれば、例えば図１３に示すように２つで構成させる場合には、一方の面である表面の凸部７３と、他方の面である裏面の凹部７４とを互いに嵌合させることで取付枠体構造７１を構成する。このような形状の枠状部材７２では、図１３（ａ）に示すように、凸部７３を除く厚さＡと凸部７３の突出長さＢとで、取付枠体構造７１としての厚さ寸法となり、枠状部材７２の数を２とすれば、凸部７３を除く厚さＡを乗じた数値に、凸部７３の突出長さＢを加算した数値２Ａ＋Ｂを取付枠体構造７１の厚さ、すなわち延出長さとして設定が可能となる。
【００５７】
また、この中空矩形パイプ形状の枠状部材７２によれば、図１３（ｂ）に示すように凸部７３，７３同士を突き合わせるように重ね合わせ、或いは凹部７４側を対向させるように重ね合わせることで、取付枠体構造７１を構成することとしても良い。このような組み合わせとすれば、図１３（ｂ）に示すように、枠状部材７２の数を２とすれば、凸部７３を除く厚さＡと凸部７３の突出長さＢを加算し、これに枠状部材７２の数＝２を乗じた数値２Ａ＋２Ｂを取付枠体構造７１の厚さ、すなわち延出長さとして設定が可能となる。
なお、枠状部材７２の建物躯体５１への固定は、上述した実施の形態の枠状部材４２と同様（図１０〜１２参照）に、ビスやタッピングビスなどの固定手段を用い、枠状部材７２を貫通させて固定する。好ましくは、凸部７３の頂面には、ビスなどの頭部が嵌入可能な凹部が形成されることで、この頂面に凹凸が生じず、この枠状部材７２に対して取り付けられることとなる窓シャッター６１の構成部材がガタつくことなく配置することができる。また、各枠状部材７２同士の接合部分には、シーリング剤を充填し、防水性を得られることとしてもよい。
【００５８】
さらに、図１４に示すように、上記した例の中空矩形パイプ状に、さらに両側面に、幅長に膨らみを持たせるような突出部８５をそれぞれ形成し、かつ、表面の凸部８３と同方向に延出する片部８６を各突出部８５の端縁に互いに平行に設ける形状として、枠状部材８２を構成してもよい。この形状の枠状部材８２の場合、凸部８５の両側部に片部８６が形成されていることで、この凸部８５の両側が凹部状に形成され、また、裏面の凹部８４の両側が凸部状に形成されることとなり、枠状部材８２同士を重ね合わせることで、図１４（ａ）に示すように表裏面が互いの凹部８４と凸部８３とで嵌合しあうこととなる。なお、この枠状部材８２においても、上記同様図１４（ｂ）に示すように表面の凸部８３同士を突き合わせるように重ね合わせることで取付枠体構造８１を構成することとしてもよい。このような形状の例の場合も、上記例と同様に、枠状部材８２の数を２とすれば、凸部８３と凹部８４とを嵌合させるように重ね合わせた場合では、凸部８３を除く厚さＡを乗じた数値に、凸部８３の突出長さＢを加算した数値２Ａ＋Ｂを取付枠体構造８１の厚さ、すなわち延出長さとして設定が可能となり、また、凸部８３同士を突き合わせたように重ねた場合には、凸部８３を除く厚さＡと凸部８３の突出長さＢを加算し、これに枠状部材８２の数＝２を乗じた数値２Ａ＋２Ｂを取付枠体構造８１の厚さ、すなわち延出長さとして設定が可能となる。
【００５９】
このような枠状部材８２では、外観としての両側面が片部８６によって略平滑な形状となり、これにより、枠状部材８２を複数で構成して重ね合わせる場合に、その両側面における外観が凹凸状とならず、意匠性を損ねることがなくなる。
なお、枠状部材８２の建物躯体５１への固定は、上述した実施の形態の枠状部材４２と同様（図１０〜１２参照）に、ビスやタッピングビスなどの固定手段を用い、枠状部材８２を貫通させて固定する。好ましくは、凸部８３の頂面には、ビスなどの頭部が嵌入可能な凹部が形成されることで、この頂面に凹凸が生じず、この枠状部材８２に対して取り付けられることとなる窓シャッター６１の構成部材がガタつくことなく配置することができる。また、各枠状部材８２同士の接合部分には、シーリング剤を充填し、防水性を得られることとしてもよい。
【００６０】
また、上述のような中空矩形パイプ形状ではなく、図１５に示すような、一方の側面９６を平滑な面とし、他方の側面９７が中途で略Ｌ字状に屈曲形成され、表面側に対して裏面側の幅長がやや幅狭となり、裏面側となる開口部分の幅長をやや狭く形成した略コ字状の枠状部材９２として構成してもよい。この枠状部材９２では、例えば２つで構成する場合に、図１５（ａ）に示すように、一方の枠状部材９２の表面側の幅広部分９３に、他方の枠状部材９２の裏面側の幅狭部分９４を対向して重ね、すなわち、同じ向きで重ね合わせた場合には、その枠状部材９２の厚さの２倍の厚さが、延出長さとなって構成できる。すなわち開口側の幅狭部分９４における厚さをＡとし、幅広部分９３の厚さをＢとした場合に、枠状部材９２を２つで構成すれば、それぞれの厚さを合計した厚さ２Ａ＋２Ｂが取付枠体構造９１の厚さとなる。また、図１５（ｂ）に示すように、一方の枠状部材９２と他方の枠状部材９２とをコ字状の開口部分９５同士を対向させることで、幅狭部分９４同士を互いに嵌合させることができ、この場合には、開口側の幅狭部分９４における厚さをＡとし、幅広部分９３の厚さをＢとした場合に、枠状部材９２を２つで構成すれば、それぞれの幅広部分９３の厚さの合計厚さ２Ｂと幅狭部分の厚さＡとの合計の厚さＡ＋２Ｂが取付枠体構造９１の厚さとなる。
このような枠状部材９２では、一方の側面９６が略平滑な形状とされており、これにより、枠状部材９２を複数で構成して重ね合わせる場合に、その一方の側面９６における外観が凹凸状とならず、意匠性を損ねることがなくなる。また、他方の側面９７を屈曲形成して、対向させて重ね合わせる際には、一方の側面９６に対して屈曲形成された他方の側面９７が開口内に嵌合して組み合わさることから、外観として幅広な部分９３同士が重ね合わせられたものとなり、その外観に凹凸部分のない略平滑な取付枠体構造９１となる。  なお、枠状部材９２の建物躯体５１への固定は、上述した実施の形態の枠状部材４２と同様（図１０〜１２参照）に、ビスやタッピングビスなどの固定手段を用い、枠状部材９２を貫通させて固定する。好ましくは、幅広部分９３の外面には、ビスなどの頭部が嵌入可能な凹部が形成されることで、この外面に凹凸が生じず、この枠状部材９２に対して取り付けられることとなる窓シャッター６１の構成部材がガタつくことなく配置することができる。また、各枠状部材９２同士の接合部分には、シーリング剤を充填し、防水性を得られることとしてもよい。
【００６１】
なお、上述した図１０〜１５に示した各実施の形態での枠状部材４２，７２，８２，９２では、厚さを同等とする複数の枠状部材を、外に重ね合わせることで所望の厚さに構成させ取付枠体構造とするものであるが、各枠状部材の厚さを異なるもので構成することとしてもよい。この場合に、その異なる厚さを複数種用意することで、それらの組み合わせが所望の厚さに容易に設定可能となり、取付枠体構造としての厚さ、すなわち延出長さをより最適に設定可能となる。
【図面の簡単な説明】
【００６２】
【図１】本発明による窓シャッターの取付枠体構造の実施の形態を示す側断面図である。
【図２】同取付枠体構造の平断面図である。
【図３】同取付枠体構造の概略分解斜視図である。
【図４】同取付枠体構造の一部拡大斜視図である。
【図５】調整機構の斜視図である。
【図６】同取付枠体構造の平断面図である。
【図７】本発明による窓シャッターの取付枠体構造の第２の実施の形態を示す一部拡大断面図である。
【図８】他の実施の形態の取付枠体構造を示す下地枠又は取付枠の概略斜視図である。
【図９】他の実施の形態の取付枠体構造を示す分解斜視図を（ａ），斜視図を（ｂ）に示した図である。
【図１０】本発明による窓シャッターの取付枠体構造の第３の実施の形態を示す一部拡大断面図である。
【図１１】同一部拡大側断面図である、
【図１２】同一部拡大側断面図である。
【図１３】他の実施の形態の取付枠体構造を示す概略断面図である。
【図１４】他の実施の形態の取付枠体構造を示す概略断面図である。
【図１５】他の実施の形態の取付枠体構造を示す概略断面図である。
【符号の説明】
【００６３】
１，２１，４１，７１，８１，８１…取付枠体構造
２，２２…下地枠
７，２７…取付枠
１１，３１…調整機構
３２，３３…突条
４２，７２，８２，９２…枠状部材
５１…建物躯体
５２…建物開口部
５３…サッシ枠
６１…窓シャッター
【図１】
2006241736.tif 000003
【図２】
2006241736.tif 000004
【図３】
2006241736.tif 000005
【図４】
2006241736.tif 000006
【図５】
2006241736.tif 000007
【図６】
2006241736.tif 000008
【図７】
2006241736.tif 000009
【図８】
2006241736.tif 000010
【図９】
2006241736.tif 000011
【図１０】
2006241736.tif 000012
【図１１】
2006241736.tif 000013
【図１２】
2006241736.tif 000014
【図１３】
2006241736.tif 000015
【図１４】
2006241736.tif 000016
【図１５】
2006241736.tif 000017